(57)【特許請求の範囲】
【請求項１】
上端部を連結して縦に間隔をあけて併設した一対の上部基板（１０）を備えた上部構成部材（Ａ１）と、各上部基板（１０）にそれぞれ上端を嵌着固定するとともに、外気との接触で作用する薬剤を充填した窓（４３）付きの薬剤容器（Ｂ）を着脱可能に嵌合させる嵌合部（２０）を備え、且つ、間隔をあけて併設した一対の下部構成部材（Ａ２）とを備え、左右に並列した靴（Ｃ）の各開口（５０）より各下部構成部材（Ａ２）及び各上部基板（１０）をそれぞれ挿入して、靴（Ｃ）の右足及び左足の隣接する一対の内側壁部を各下部構成部材（Ａ２）及び各上部基板（１０）で挟持するとともに、右足内及び左足内にそれぞれ薬剤容器（Ｂ）を位置させて装着させることが可能に設け、
各下部構成部材（Ａ２）は、上部基板（１０）と連続する内側の下部基板（２１）と、下部基板（２１）と上下を連結して間隔をあけて併設した外側の補助板（２２）とを備え、端面に窓（４３）を備えた円筒状の薬剤容器（Ｂ）を、下部基板（２１）又は補助板（２２）、或いは下部基板（２１）及び補助板（２２）に開口部（２９）を開口した円弧板状の嵌合部（２０）に、開口部（２９）より拡開挿入して装着可能に構成した靴用クリップ。
【請求項２】
嵌合部（２０）の内周中央部に円周方向に沿って係止突条（２５）を突設し、薬剤容器（Ｂ）の周囲に円周状凹溝（４４）を周設し、凹溝（４４）を係止突条（２５）に嵌合させての装着係止が可能に構成した請求項１に記載の靴用クリップ。
【請求項３】
各下部構成部材（Ａ２）にそれぞれ少なくとも３箇所の嵌合部（２０）を設け、各下部構成部材（Ａ２）に嵌合する薬剤容器（Ｂ）を、除湿剤を収容した第１薬剤容器（Ｂ１）、除菌剤を収容した第２薬剤容器（Ｂ２）、消臭剤を収容した第３薬剤容器（Ｂ３）のうちから選択的に嵌合装着した請求項１又は請求項２に記載の靴用クリップ。
【請求項４】
各下部構成部材（Ａ２）が同一形状をなし、互いに１８０度回転した状態で上部構成部材（Ａ１）に嵌着固定されている請求項１乃至請求項３のいずれか１項に記載の靴用クリップ。
【請求項５】
装着する靴（Ｃ）がブーツ（Ｃ１）であり、各上部基板（１０）及び各下部基板（２１）はブーツ（Ｃ１）の縦長部分に挿入する全体として側面視垂直状に形成されている請求項１乃至請求項４のいずれか１項に記載の靴用クリップ。
【発明の詳細な説明】
【技術分野】
【０００１】
本発明は靴用クリップに関する。
【背景技術】
【０００２】
靴の保管時等に、左右を揃えて整理し易い様な目的で、或いはブーツの様に形状維持が比較的難しい場合に形状維持をも兼ねての靴用クリップが提案されている。（例えば、特許文献１を参照）
【０００３】
上記特許文献１に記載されたクリップは、出掛け先にてブーツを脱いだ際、だらりと広がり見た目にもよくない等の不都合を解消するために提案され、二股に分かれた本体足部のそれぞれの内側に、自在に長さ調節のできる伸縮棒を取り付け、足部の上部中央に持ち手を設け、足部で左右のブーツの内側壁相互を挟み、伸縮棒を相応に延ばして安定させる如く構成している。
【０００４】
また、ブーツの保形性を得るため、加えてブーツ内の脱臭効果を図るためのブーツスタンドも提案されている。（例えば、特許文献２を参照）
【０００５】
特許文献２に記載されたブーツスタンドは、板状部材の上下に亘って形成されるとともに、板状部材の幅方向に列状に配設された複数の折曲部を介して板状部材を多角筒形状に折り曲げてブーツの筒脚部内に挿入される本体部と、板状部材に形成され本体部の多角筒形状を保持する本体保持部と、板状部材の下端部に形成され、本体部をブーツの筒脚部内に挿入した際にブーツのつま先方向に開口する通気用切欠部とを備えている。また、袋状の脱臭剤或いは芳香剤を内部底部に一緒に挿入している。
【先行技術文献】
【特許文献】
【０００６】
【特許文献１】特開２０１０−２５３２２８号公報
【特許文献２】実用新案登録第３１５５５５６号公報
【発明の概要】
【発明が解決しようとする課題】
【０００７】
本発明は、ブーツを含む靴の整理が行い易く、一対物として常時揃えておくことができるとともに、ブーツ等の型崩れのし易い部分を備えたものにあってはその保形性も備え、しかも、消臭効果、除菌効果、除湿効果等の単数及び複数を同時に発揮でき、また、その使用操作が極めて簡単であり、その構造も極めて簡単な靴用クリップを提案する。
【課題を解決するための手段】
【０００８】
第１の手段として、以下の通り構成した。即ち、上端部を連結して縦に間隔をあけて併設した一対の上部基板１０を備えた上部構成部材Ａ１と、各上部基板１０にそれぞれ上端を嵌着固定するとともに、外気との接触で作用する薬剤を充填した窓４３付きの薬剤容器Ｂを着脱可能に嵌合させる嵌合部２０を備え、且つ、間隔をあけて併設した一対の下部構成部材Ａ２とを備え、左右に並列した靴Ｃの各開口５０より各下部構成部材Ａ２及び各上部基板１０をそれぞれ挿入して、靴Ｃの右足及び左足の隣接する一対の内側壁部を各下部構成部材Ａ２及び各上部基板１０で挟持するとともに、右足内及び左足内にそれぞれ薬剤容器Ｂを位置させて装着させることが可能に設け、
各下部構成部材Ａ２は、上部基板１０と連続する内側の下部基板２１と、下部基板２１と上下を連結して間隔をあけて併設した外側の補助板２２とを備え、端面に窓４３を備えた円筒状の薬剤容器Ｂを、下部基板２１又は補助板２２、或いは下部基板２１及び補助板２２に開口部２９を開口した円弧板状の嵌合部２０に、開口部２９より拡開挿入して装着可能に構成した。
【００１０】
第２の手段として、以下の通り構成した。即ち、前記第１の手段に於いて、嵌合部２０の内周中央部に円周方向に沿って係止突条２５を突設し、薬剤容器Ｂの周囲に円周状凹溝４４を周設し、凹溝４４を係止突条２５に嵌合させての装着係止が可能に構成した。
【００１１】
第３の手段として、以下の通り構成した。即ち、前記第１の手段又は第２の手段に於いて、各下部構成部材Ａ２にそれぞれ少なくとも３箇所の嵌合部２０を設け、各下部構成部材Ａ２に嵌合する薬剤容器Ｂを、除湿剤を収容した第１薬剤容器Ｂ１、除菌剤を収容した第２薬剤容器Ｂ２、消臭剤を収容した第３薬剤容器Ｂ３のうちから選択的に嵌合装着した。
【００１２】
第４の手段として、以下の通り構成した。即ち、前記第１の手段乃至第３の手段のいずれかの手段に於いて、各下部構成部材Ａ２が同一形状をなし、互いに１８０度回転した状態で上部構成部材Ａ１に嵌着固定されている。
【００１３】
第５の手段として、以下の通り構成した。即ち、前記第１の手段乃至第４の手段のいずれかの手段に於いて、装着する靴ＣがブーツＣ１であり、各上部基板１０及び各下部基板２１はブーツＣ１の縦長部分に挿入する全体として側面視垂直状に形成されている。
【発明の効果】
【００１４】
本発明によれば、靴の整理が行い易く、一対物として常時揃えておくことができるとともに、消臭効果、除菌効果、除湿効果等の薬剤効果を同時に発揮でき、特に通気性の悪いブーツに好適である。従って、靴の整理と靴内のケアとを同時に行なえるという利点がある。また、クリップ本体Ａはスリーパーツで構成されているため、小さい金型で形成が可能であり製造のコストダウンを図れ、また、コンパクトな状態で保管、流通を行なえる特徴を備えている。
【００１５】
各下部構成部材Ａ２は、上部基板１０と連続する内側の下部基板２１と、下部基板２１と上下を連結して間隔をあけて併設した外側の補助板２２とを備え、端面に窓４３を備えた円筒状の薬剤容器Ｂを、下部基板２１又は補助板２２、或いは下部基板２１及び補助板２２に開口部２９を開口した円弧板状の嵌合部２０に、開口部２９より拡開挿入して装着可能に構成した場合には、薬剤容器Ｂの装着、離脱を極めて簡単に行うことができ、一方、一旦装着した薬剤容器Ｂは確実に嵌合部２０へ嵌着させておくことができる。
【００１６】
嵌合部２０の内周中央部に円周方向に沿って係止突条２５を突設し、薬剤容器Ｂの周囲に円周状凹溝４４を周設し、凹溝４４を係止突条２５に嵌合させての装着係止が可能に構成した場合には、装着した薬剤容器Ｂをより確実に嵌合部２０に嵌着させておくことができ、嵌着時に薬剤容器Ｂが外れる等の不都合を確実に防止できる。しかも、凹溝４４の存在にかかわらず薬剤容器Ｂの嵌合部２０への装着、離脱は同様に簡単に行なうことができる。
【００１７】
各下部構成部材Ａ２にそれぞれ少なくとも３箇所の嵌合部２０を設け、各下部構成部材Ａ２に嵌合する薬剤容器Ｂを、除湿剤を収容した第１薬剤容器Ｂ１、除菌剤を収容した第２薬剤容器Ｂ２、消臭剤を収容した第３薬剤容器Ｂ３のうちから選択的に嵌合装着した場合には、一方の下部構成部材Ａ２に装着する薬剤容器Ｂとして、第１薬剤容器Ｂ１、第２薬剤容器Ｂ２、第３薬剤容器Ｂ３を装着すれば、除湿効果、除菌効果、消臭効果という複数の作用を一遍に発揮することができ、また、必要に応じて、必要な一つ或いは複数の薬効を選択することもでき、変化に富んだ対応が可能である。
【００１８】
各下部構成部材Ａ２が同一形状をなし、互いに１８０度回転した状態で上部構成部材Ａ１に嵌着固定されている場合には、金型を少なくしての製造が可能であり、さらなるコストダウンを図ることができる。
【００１９】
装着する靴ＣがブーツＣ１であり、各上部基板１０及び各下部基板２１はブーツＣ１の縦長部分に挿入する全体として側面視垂直状に形成されている場合には、同様に靴の整理が行い易く、一対物として常時揃えておくことができるとともに、消臭効果、除菌効果、除湿効果等の薬剤効果を同時に発揮でき、しかも型崩れのし易い部分を変形なく維持しておく保形効果を備えている。
【図面の簡単な説明】
【００２０】
【図１】靴用クリップの正面図である。（第１実施例）
【図２】クリップ本体の側面図である。（第１実施例）
【図３】薬剤容器の拡大正面図である。（第１実施例）
【図４】図１のｘ−ｘ線に沿う拡大横断面図である。（第１実施例）
【図５】靴用クリップの分解斜視図である。（第１実施例）
【図６】靴用クリップの使用を説明する説明図である。（第１実施例）
【発明を実施するための形態】
【００２１】
以下、本発明の形態を図面を参照して説明する。
【００２２】
図１は靴用クリップ１の第１実施例を示し、該靴用クリップ１は、クリップ本体Ａと、クリップ本体Ａに着脱可能に装着する複数の薬剤容器Ｂとを備えている。尚、以下の説明に於いて、便宜的に図１に於けるクリップ本体Ａ及び図３に於ける薬剤容器Ｂは、上方を上部、下方を下部とし、手前を前部、後方を後部として説明し、以下上下前後はそれに従う。
【００２３】
クリップ本体Ａは合成樹脂製で、上部構成部材Ａ１と、一対の下部構成部材Ａ２とを備えている。
【００２４】
上部構成部材Ａ１は、上端部を連結して縦に間隔をあけて併設した一対の上部基板１０を備えている。
【００２５】
図示例では、クリップ本体Ａは上端部を上方に凸の円弧板状をなす正面視形状の頂板１１で連結した一対の平行する左上部基板１０ａ及び右上部基板１０ｂを備えている。また、各上部基板の下端部には、下面より上方に嵌合用孔１２が穿設されており、前後面に嵌合用孔１２と連通する係止孔１３がそれぞれ穿設されている。
【００２６】
各下部構成部材Ａ２は、各上部基板１０にそれぞれ上端を嵌着固定するとともに、薬剤容器Ｂを着脱可能に嵌合させる嵌合部２０を備えて間隔をあけて併設している。
【００２７】
図示例では、左下部構成部材Ａ２ａと、右下部構成部材Ａ２ｂとの一対を備えており、各下部構成部材Ａ２は上部基板１０と連続する内側の下部基板２１と、下部基板２１と上下を連結して間隔をあけて併設した外側の補助板２２とを備え、下部基板２１及び補助板２２に開口部２９を開口した円弧板状の嵌合部２０を備えている。
【００２８】
左下部構成部材Ａ２ａは、左上部基板１０ａと連続する内側の左下部基板２１ａと、左下部基板２１ａの上部外面より外方斜め下方に下る左頂板２３ａを介して左下部基板２１ａと間隔をあけて併設した左補助板２２ａを延設し、左補助板２２ａと左下部基板２１ａとの下端相互を下方へ凸の半円弧板状をなす左底板２４ａで連結している。また、嵌合部２０として、左補助板２２ａの上端部に開口した開口部２９の上下縁より、左補助板２２ａと左下部基板２１ａとの間に延設した正面視円弧状をなす板状の左第１嵌合部２０ａ１と、左下部基板２１ａの上下方向中間部に開口した開口部２９の上下縁より延設し、左下部基板２１ａと左補助板２２ａとの間に延設した正面視円弧状をなす板状の左第２嵌合部２０ａ２と、左補助板２２ａの下端部に開口した開口部２９の上下縁より延設し、左補助板２２ａと左下部基板２１ａとの間に延設した正面視円弧状をなす板状の左第３嵌合部２０ａ３とを備えている。また、各嵌合部２０には、薬剤容器Ｂを安定的に嵌合させるための係止突条２５をそれぞれ突設している。各係止突条２５は嵌合部２０の内周中央部に円周方向に沿って突設している。
【００２９】
右下部構成部材Ａ２ｂは、左下部構成部材Ａ２ａと形状が同じで、右下部構成部材Ａ２ｂに対して１８０°回転した状態に装着されており、右上部基板１０ｂと連続する内側の右下部基板２１ｂと、右下部基板２１ｂの上部外面より外方斜め下方に下る右頂板２３ｂを介して右下部基板２１ｂと間隔をあけて併設した右補助板２２ｂを延設し、右補助板２２ｂと右下部基板２１ｂとの下端相互を下方へ凸の半円弧板状をなす右底板２４ｂで連結している。また、嵌合部２０として、右補助板２２ｂの上端部に開口した開口部２９の上下縁より、右補助板２２ｂと右下部基板２１ｂとの間に延設した正面視円弧状をなす板状の右第１嵌合部２０ｂ１と、右下部基板２１ｂの上下方向中間部に開口した開口部２９の上下縁より、右下部基板２１ｂと右補助板２２ｂとの間に延設した正面視円弧状をなす板状の右第２嵌合部２０ｂ２と、右補助板２２ｂの下端部に開口した開口部２９の上下縁より、右補助板２２ｂと右下部基板２１ｂとの間に延設した正面視円弧状をなす板状の右第３嵌合部２０ｂ３とを備えている。また、各嵌合部２０に同様の係止突条２５を突設している。
【００３０】
また、各下部構成部材Ａ２の各下部基板２１の上端には、各上部基板１０の各嵌合用孔１２に挿入嵌着する嵌着部２６を設けている。各嵌着部２６は、一対の透孔２７を備え、前後に係止孔１３に嵌合する係合突部２８を突設している。そして、嵌着部２６を強制的に嵌合用孔１２に挿入すると透孔２７の存在で係合突部２８部分の側面が内方へ弾性変形して容易に挿入嵌合が可能となる。
【００３１】
薬剤容器Ｂも合成樹脂製で、除湿剤用の第１薬剤容器Ｂ１と、除菌剤用の第２薬剤容器Ｂ２と、消臭剤用の第３薬剤容器Ｂ３とを備えている。各容器はそれぞれ同様形態をなしているので、ここでは代表して左第１嵌合部２０ａ１に嵌合させる第１薬剤容器Ｂ１を説明する。第１薬剤容器Ｂ１は、図３の拡大正面図及び図４のｘ−ｘ線（図１）に沿う拡大横断面図で示す如く、容器本体３０と蓋体４０とからなり、容器本体３０は、底壁３１の周縁部より円筒状の周壁３２を立設した上端開口の有底円筒状で、周壁３２外周に上向き段部を介してその上方外面を縮径している。また、蓋体４０は、容器本体周壁３２に嵌合した円筒状の周壁部４１の上端縁より頂壁部４２を延設した下端開口の有頂円筒状で、周壁部４１下端は上向き段部と所定幅離間した位置まで垂下しており、従って、ここに凹溝４４が周設される。
【００３２】
そして、容器本体３０内には薬剤ｍとしての除湿剤が充填されている。また、頂壁部４２には充填された除湿剤と外気とを接触させるための窓４３を複数穿設している。本例に於ける窓４３は、中央の円形窓４３ａと、円形窓４３ａの周囲に放射状に穿設した複数の放射状窓４３ｂとで構成している。
【００３３】
薬剤容器Ｂをクリップ本体Ａに装着する場合には、例えば、薬剤容器Ｂを嵌合部２０の開口部２９より押し込んで、凹溝４４を係止突条２５に嵌合させて開口部２９を拡開しつつ挿入し、嵌合部２０に装着させる。
【００３４】
尚、図１では左右の各下部構成部材Ａ２にそれぞれ三つの嵌合部２０を設け、各嵌合部２０にそれぞれ三種類の薬剤容器Ｂを嵌合させた構成となっているが、各下部構成部材Ａ２に設ける嵌合部２０の数はこれに限られるものではなく、必要に応じて選択することができる。その場合下部基板２１のみに開口部２０を設けても、補助板２２のみに開口部２０を設けても、或いは実施例の如く下部基板２１と補助板２２の両方に開口部２０を設けても良く、その数も適宜選択できる。
【００３５】
また、使用方法としても、必ずしも嵌合部２０の数だけ嵌合する場合に限らず必要に応じて嵌合装着することができる。また、その薬剤容器Ｂの内容も必要に応じて選択でき、左右同じでなく相違するものを装着しても良く、この場合も必要に応じて適宜選択することができる。
【００３６】
この様に構成された靴用クリップ１を靴Ｃに装着した状態を説明する。図６に於いて靴ＣはブーツＣ１であり、靴用クリップ１はブーツ用のもので、並列した左右一対のブーツ右足Ｃ１ａ及びブーツ左足Ｃ１ｂの各開口５０より左下部構成部材Ａ２ａ及び右下部構成部材Ａ２ｂをそれぞれ挿入し、ブーツ右足Ｃ１ａ及びブーツ左足Ｃ１ｂの隣接する一対の内側壁部を左下部基板２１ａ及び左上部基板１０ａと、右下部基板２１ｂ及び右上部基板１０ｂで挟持する。この際、左右にそれぞれ嵌合された第１薬剤容器Ｂ１、第２薬剤容器Ｂ２、第３薬剤容器Ｂ３は、それぞれ垂直並列状態でブーツ右足Ｃ１ａ及びブーツ左足Ｃ１ｂ内に収納されている。尚、本例に於いて、靴クリップ１は正面視で左右を決めているため実際のブーツ１の左右と反対になっている。当然後ろ向きに装着することもでき、その場合には左右の名称が同じとなる。
【符号の説明】
【００３７】
１：靴用クリップ
Ａ：クリップ本体
Ａ１：上部構成部材
１０…上部基板
１０ａ…左上部基板、１０ｂ…右上部基板
１１…頂板
１２…嵌合用孔
１３…係止孔
Ａ２：下部構成部材
Ａ２ａ…左下部構成部材、Ａ２ｂ…右下部構成部材
２０…嵌合部
２０ａ１…左第１嵌合部、２０ａ２…左第２嵌合部、２０ａ３…左第３嵌合部
２０ｂ１…右第１嵌合部、２０ｂ２…右第２嵌合部、２０ｂ３…右第３嵌合部
２１…下部基板
２１ａ…左下部基板、２１ｂ…右下部基板
２２…補助板
２２ａ…左補助板、２２ｂ…右補助板
２３ａ…左頂板、２３ｂ…右頂板
２４ａ…左底板、２４ｂ…右底板
２５…係止突条
２６…嵌着部
２７…透孔
２８…係合突部
２９…開口部
Ｂ…薬剤容器
Ｂ１…第１薬剤容器、Ｂ２…第２薬剤容器、Ｂ３…第３薬剤容器
３０…容器本体
３１…底壁、３２…周壁
４０…蓋体
４１…周壁部、４２…頂壁部、４３…窓、４３ａ…円形窓、４３ｂ…放射状窓
ｍ…薬剤
Ｃ：靴
Ｃ１…ブーツ
Ｃ１ａ…ブーツ右足、Ｃ１ｂ…ブーツ左足
５０…開口
【図１】
0005804509.tif 000002
【図２】
0005804509.tif 000003
【図３】
0005804509.tif 000004
【図４】
0005804509.tif 000005
【図５】
0005804509.tif 000006
【図６】
0005804509.tif 000007